【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
汚泥回収機構を搭載した汚泥吸引車であって、
汚泥回収機構は、
回収した汚泥を貯留する貯槽と、
ケーシングとロータとを有し、上記貯槽内部を減圧する乾式真空ポンプと、
上記乾式真空ポンプの上記ケーシングの外表面を冷却する冷却手段と、
を備える汚泥吸引車。
【請求項２】
上記冷却手段は、
上記ケーシングの外表面を覆うように配置され、第１ポート及び第２ポートを有し、当該第１ポートから内部に流入した冷却液が当該第２ポートから流出する冷却器具を備える請求項１に記載の汚泥吸引車。
【請求項３】
上記冷却器具は、複数の配水管を有し、
上記各配水管は、一方端が上記第１ポートに接続され、他方端が上記第２ポートに接続されており、上記冷却器具の内部において、上記ケーシングの外表面付近に分散されて配置されており、上記各配水管の内部を上記冷却液が流れる、請求項２に記載の汚泥吸引車。
【請求項４】
上記冷却器具は、複数の上記第１ポートと、上記第１ポートと同数の上記第２ポートと、上記第１ポートと同数の上記配水管とを有している、請求項２又は３に記載の汚泥吸引車。
【請求項５】
上記冷却手段は、
冷却液を冷却するための放熱器と、
上記冷却手段において上記放熱器を介して上記冷却液を循環するための液体ポンプと、を備える請求項１〜４のいずれかに記載の汚泥吸引車。
【請求項６】
上記放熱器は、上記汚泥回収機構の側面部に配置されている、請求項５に記載の汚泥吸引車。
【請求項７】
上記冷却手段は、冷却液を貯留するタンクを備え、
上記タンクは、上記汚泥回収機構の側面部に配置されている、請求項１〜６のいずれかに記載の汚泥吸引車。
【請求項８】
冷却液は、不凍冷却液である請求項１〜７のいずれかに記載の汚泥吸引車。
【請求項９】
上記汚泥回収機構には、上記乾式真空ポンプより吸気側に、外気の侵入を調整するための安全バルブが備えられていない請求項１〜８のいずれかに記載の汚泥吸引車。
【請求項１０】
上記乾式真空ポンプの吸気口に接続された吸気管と、
上記吸気管の外周表面に、周方向に周回されて貼り付けられた帯状の吸音材と、を備える請求項１〜９のいずれかに記載の汚泥吸引車。
【請求項１１】
汚泥吸引車に搭載される汚泥回収機構であって、
回収した汚泥を貯留する貯槽と、
ケーシングとロータとを有し、上記貯槽内部を減圧する乾式真空ポンプと、
上記乾式真空ポンプの上記ケーシングの外表面を冷却する冷却手段と、を備える汚泥回収機構。
【請求項１２】
上記冷却手段は、
上記ケーシングの外表面を覆うように配置され、第１ポート及び第２ポートを有し、当該第１ポートから内部に流入した冷却液が当該第２ポートから流出する冷却器具を備える請求項１１に記載の汚泥回収機構。
【請求項１３】
上記冷却器具は、複数の配水管を有し、
上記各配水管は、一方端が上記第１ポートに接続され、他方端が上記第２ポートに接続されており、上記冷却器具の内部において、上記ケーシングの外表面付近に分散されて配置されており、上記各配水管の内部を上記冷却液が流れる、請求項２に記載の汚泥回収機構。
【請求項１４】
汚泥吸引車に搭載される乾式真空ポンプの吸気口に接続された吸気管の外周表面に、周方向に周回されて貼り付けられた帯状の吸音材。
【手続補正２】
【補正対象書類名】明細書
【補正対象項目名】発明の名称
【補正方法】変更
【補正の内容】
【発明の名称】汚泥吸引車及びそれに用いられる汚泥回収機構
【手続補正３】
【補正対象書類名】明細書
【補正対象項目名】０００１
【補正方法】変更
【補正の内容】
【０００１】
本発明は、汚泥吸引車及びそれに用いられる汚泥回収機構に関し、特に、乾式真空ポンプが搭載された汚泥吸引車及びそれに用いられる汚泥回収機構に関する。
【手続補正４】
【補正対象書類名】明細書
【補正対象項目名】０００８
【補正方法】変更
【補正の内容】
【０００８】
本発明は、上記の事情に鑑みてなされたものであり、その目的は、乾式真空ポンプを搭載し、所望の吸引力を有する汚泥吸引車及びそれに用いられる汚泥回収機構を提供することにある。
【手続補正５】
【補正対象書類名】明細書
【補正対象項目名】００３２
【補正方法】変更
【補正の内容】
【００３２】
本発明によれば、乾式真空ポンプとともに冷却手段が汚泥吸引車に搭載されるため、乾式真空ポンプを搭載した汚泥吸引車において、所望の吸引力を有することができる。
また、本発明は、汚泥吸引車に搭載される汚泥回収機構であって、上記と同様の構成及び効果を有する。
【手続補正６】
【補正対象書類名】明細書
【補正対象項目名】００３３
【補正方法】変更
【補正の内容】
【００３３】
【図１】図１は、汚泥吸引車１の外観を示す側面図である。
【図２】図２は、汚泥吸引車１の外観を示す平面図である。
【図３】図３は、汚泥回収機構２の構成を示す概略構成図である。
【図４】図４は、冷却ジャケット９０の外観を示す斜視図である。
【図５】図５は、冷却ジャケット９０の外観を示す平面図である。
【図６】図６は、冷却ジャケット９０の外観を示す正面図である。
【図７】図７は、冷却ジャケット９０へのクーラント液の入出力経路を示す正面図である。
【図８】図８は、冷却機構１０を示す平面図である。
【図９】図９は、第３配管７３に周回して貼り付けられた吸音材１３０の外観を示す斜視図である。
【手続補正７】
【補正対象書類名】明細書
【補正対象項目名】００３７
【補正方法】変更
【補正の内容】
【００３７】
汚泥吸引車１は、道路の側溝の汚泥を吸引する車であり、車体に、汚泥回収機構２を備えたものである。
【手続補正８】
【補正対象書類名】明細書
【補正対象項目名】００３８
【補正方法】変更
【補正の内容】
【００３８】
＜汚泥回収機構２の構成＞
【手続補正９】
【補正対象書類名】明細書
【補正対象項目名】００３９
【補正方法】変更
【補正の内容】
【００３９】
図３は、汚泥回収機構２の構成を示す概略構成図である。
【手続補正１０】
【補正対象書類名】明細書
【補正対象項目名】００４０
【補正方法】変更
【補正の内容】
【００４０】
汚泥回収機構２は、サクションホース３、レシーバタンク（貯槽）４、２次キャッチャ５、フィルタタンク６、乾式真空ポンプ７、及び、サイレンサ８を備えている。
【手続補正１１】
【補正対象書類名】明細書
【補正対象項目名】００６３
【補正方法】変更
【補正の内容】
【００６３】
＜汚泥回収機構２の動作＞
【手続補正１２】
【補正対象書類名】明細書
【補正対象項目名】００６８
【補正方法】変更
【補正の内容】
【００６８】
真空安全バルブ６７は、汚泥回収機構２内の真空状態を解除するために用いられる。
【手続補正１３】
【補正対象書類名】明細書
【補正対象項目名】００６９
【補正方法】変更
【補正の内容】
【００６９】
第３配管７３に流入した空気は、乾式真空ポンプ７によって第４配管８１に流入し、サイレンサ８を通って汚泥回収機構２外へ排出される。
【手続補正１４】
【補正対象書類名】明細書
【補正対象項目名】０１０８
【補正方法】変更
【補正の内容】
【０１０８】
また、冷却機構１０により、乾式真空ポンプ７によって吸気側が閉塞した状態となっても連続運転が可能であるため、吸気側の構成に真空安全バルブ６７を設けなくてもよい。その結果、汚泥吸引車１を安価に製造できるとともに、汚泥吸引車１の生産性を向上させることができる。また、真空安全バルブ６７を開いた状態での乾式真空ポンプ７の運転時に発生する騒音を抑制することができる。
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。本明細書に記載された各構成は、それぞれ、単独の発明として成立する。